(57)【特許請求の範囲】
【請求項１】
中空のゴルフクラブヘッドにおいて、
一端にネジが形成された軸体と、前記軸体の他端に接続された頭部と、を有する固定部材と、
前記軸体が通過する開口部を有する粘弾性体と、
前記ゴルフクラブヘッドの周壁に形成され、前記粘弾性体が配設される凹部と、
前記凹部の底面に形成され、前記ネジが螺合するネジ穴と、
前記軸体が通過する開口部を有し、前記粘弾性体と前記頭部との間に介装される介挿部材と、を備え、
前記ネジを前記ネジ穴に螺合することにより、前記頭部と前記底面との間に前記粘弾性体を固定し、
前記粘弾性体が平板状をなし、
前記介挿部材は、前記粘弾性体と接する平坦面を有し、該平坦面は前記粘弾性体と同形状であり、
前記凹部は、前記粘弾性体の側部全体を囲む側壁を有することを特徴とするゴルフクラブヘッド。
【請求項２】
前記粘弾性体、前記平坦面及び前記側壁の輪郭が円形をなしていることを特徴とする請求項１記載のゴルフクラブヘッド。
【請求項３】
前記凹部が前記ゴルフクラブヘッドのソール部に形成されたことを特徴とする請求項１に記載のゴルフクラブヘッド。
【請求項４】
前記凹部が前記ゴルフクラブヘッドのバック側のサイド部に形成されたことを特徴とする請求項１に記載のゴルフクラブヘッド。
【請求項５】
前記ゴルフクラブヘッドがウッド型又はユーティリティ型のゴルフクラブヘッドであることを特徴とする請求項１に記載のゴルフクラブヘッド。
【発明の詳細な説明】
【技術分野】
【０００１】
本発明はゴルフクラブヘッドに関し、特に中空のゴルフクラブヘッドへの粘弾性体の固定構造に関するものである。
【背景技術】
【０００２】
ドライバーやフェアウエイウッドに代表されるウッド型のゴルフクラブヘッドでは、いわゆるスイートスポットを拡大するために、ゴルフクラブヘッドを中空構造とし、その体積を大きくすることが行なわれている。また、インパクト時の打感の向上や打音の調整のため、中空のゴルフクラブヘッドの周壁の一部、例えば、ソール部に粘弾性体を取り付けたものが普及しつつある。粘弾性体を取り付けることでインパクト時の振動が粘弾性体により吸収され、打感が向上されると共にプレイヤーに耳障りとなる打音を低減することができる。
【０００３】
このような粘弾性体を中空のゴルフクラブヘッドに固定する固定構造としては、例えば、特許文献１に記載の構造が提案されている。特許文献１の固定構造ではゴルフクラブヘッドの周壁の一部に凹部を形成し、凹部内に粘弾性体が装填される。凹部の内周壁はネジ穴を構成しており、このネジ穴にネジを螺合することでネジの先端面と凹部の底面との間に粘弾性体が挟持されることになる。
【０００４】
【特許文献１】特開２００５−１６０９４７号公報，図５
【発明の開示】
【発明が解決しようとする課題】
【０００５】
ここで、インパクト時の振動を粘弾性体により効果的に制振するためには粘弾性体がゴルフクラブヘッドの周壁にできるだけ近接していることが望ましい。また、ソール部に粘弾性体を取り付ける場合にはゴルフクラブヘッドの低重心化を図るべく、粘弾性体ができるだけ低い位置に取り付けられることが望ましい。この点につき、特許文献１の固定構造ではネジの先端面と凹部の底面との間に粘弾性体が挟持される構造であるため、ネジの長さ分だけ粘弾性体が周壁から遠くなるため、粘弾性体による制振効果を更に向上する余地がある。なお、特許文献１の固定構造ではネジの長さ分だけ粘弾性体がソール部の周壁よりも高い位置に位置するため、低重心化の点でも更に向上する余地がある。
【０００６】
従って、本発明の目的は、粘弾性体をゴルフクラブヘッドの周壁により近づけて固定し、制振効果を向上する中空のゴルフクラブヘッドを提供することにある。
【課題を解決するための手段】
【０００７】
本発明によれば、中空のゴルフクラブヘッドにおいて、一端にネジが形成された軸体と、前記軸体の他端に接続された頭部と、を有する固定部材と、前記軸体が通過する開口部を有する粘弾性体と、前記ゴルフクラブヘッドの周壁に形成され、前記粘弾性体が配設される凹部と、前記凹部の底面に形成され、前記ネジが螺合するネジ穴と、前記軸体が通過する開口部を有し、前記粘弾性体と前記頭部との間に介装される介挿部材と、を備え、前記ネジを前記ネジ穴に螺合することにより、前記頭部と前記底面との間に前記粘弾性体を固定し、前記粘弾性体が平板状をなし、前記介挿部材は、前記粘弾性体と接する平坦面を有し、該平坦面は前記粘弾性体と同形状であり、前記凹部は、前記粘弾性体の側部全体を囲む側壁を有することを特徴とするゴルフクラブヘッドが提供される。
【０００８】
本発明のゴルフクラブヘッドでは、前記粘弾性体を前記固定部材の前記軸体が通過する構造とすることで、前記凹部の深さをより浅くでき、前記粘弾性体を前記周壁に、より近い位置にて固定することができる。従って、前記粘弾性体による制振効果を向上することができる。
【発明の効果】
【０００９】
以上述べた通り、本発明によれば、粘弾性体をゴルフクラブヘッドの周壁により近づけて固定し、制振効果を向上する中空のゴルフクラブヘッドを提供することができる。また、粘弾性体を保護してその損傷を防止できる。
【発明を実施するための最良の形態】
【００１０】
図１は本発明の一実施形態に係るゴルフクラブヘッドＡの構造を示す断面図及び要部拡大図である。ゴルフクラブヘッドＡは中空体をなしており、その周壁が、ゴルフボールの打面を形成するフェース部１０、ゴルフクラブヘッドＡの上面をなすクラウン部２０、ゴルフクラブヘッドＡのトウ側、ヒール側及びバック側の側面をなすサイド部３０（バック側のみ図示）、ゴルフクラブヘッドＡの底面をなすソール部４０、を構成している。ゴルフクラブヘッドＡはまたシャフトが取り付けられるホゼル部５が設けられている。ゴルフクラブヘッドＡは例えばチタン系金属材料から構成することが望ましい。
【００１１】
ゴルフクラブヘッドＡはドライバ用のゴルフクラブヘッドであるが、本発明はドライバ以外のフェアウエイウッド等も含むウッド型のゴルフクラブヘッド、ユーティリティ型のゴルフクラブヘッド、その他の中空のゴルフクラブヘッドに適用可能である。
【００１２】
ソール部４０にはゴルフクラブヘッドＡの内部に突出した凹部４１が一体的に形成されており、凹部４１内に粘弾性体６０ａ、６０ｂが配設されている。本実施形態において凹部４１はその側壁の輪郭が円形をなしているが、凹部４１の形状はこれに限らず、その側壁の輪郭は楕円形でも角形であってもよい。凹部４１の底面４１ａにはネジ穴４１ｂが形成されている。ネジ穴４１ｂは底面４１ａの略中心に位置している。
【００１３】
ネジ穴４１ｂには固定部材５０が螺合しており、固定部材５０と介挿部材７０とにより粘弾性体６０ａ、６０ｂが固定されている。図２は粘弾性体の固定構造の分解斜視図であり、粘弾性体６０ａ、６０ｂと、介挿部材７０と、固定部材５０の斜視図である。図２において介挿部材７０は一部破断図である。
【００１４】
固定部材５０は、一端にネジ穴４１ｂと螺合するネジが形成された軸体５２と、軸体５２の他端に一体に接続された頭部５１と、を有する。粘弾性体６０ａ、６０ｂはいずれも円形の平板状をなし、その中心部分には軸体５２が通過する開口部６０ａ’、６０ｂ’が設けられている。開口部６０ａ’、６０ｂ’は円形の貫通穴であるがこれに限られず、例えば、図３（Ｂ）に例示する粘弾性体６０ｃのように、切り欠き６０ｃ’としてもよい。また、粘弾性体６０ａ、６０ｂ、６０ｃは円形をなしているが、その形状は楕円形、角形であってもよい。
【００１５】
粘弾性体６０ａ、６０ｂは例えばＮＢＲ（アクリロニトリルブタジエンゴム）等の粘弾性材料から構成される。粘弾性体６０ａ、６０ｂは、上記粘弾性材料に例えば金属粉末等を混入して形成し、その比重を調整することもできる。なお、本実施形態では２つの粘弾性体６０ａ、６０ｂを重ねて凹部４１内に取り付けるようにしているが、一つの粘弾性体を取り付けるようにしてもよいことは言うまでもない。
【００１６】
ここで、インパクト時に生じるゴルフクラブヘッドの振動はその周波数が多岐に及ぶ。また、粘弾性材料が振動吸収に効果的な周波数帯もその粘弾性材料に応じて一定の範囲がある。そこで、２つの粘弾性体６０ａ、６０ｂは制振性能が異なる粘弾性体とすることが望ましい。この構成によれば、より広周波数帯の振動に対して制振効果を高めることができる。例えば、粘弾性体６０ａ、６０ｂを損失係数（ｔａｎδ）の温度依存性が異なる粘弾性材料により構成することができる。損失係数の温度依存性が異なれば、振動吸収に効果的な周波数帯も変わるからである。
【００１７】
介挿部材７０は粘弾性体６０ａ、６０ｂと固定部材５０の頭部５１との間に介挿される部材であり、粘弾性体６０ａ、６０ｂを略均一に凹部４１の底面４１ａに押圧するための部材である。介挿部材７０は粘弾性体６０ａ、６０ｂの外形と同形状の平坦面７０ａを有し、また、その中心には軸体５１が通過する開口部７０ｂが設けられている。開口部７０ｂは円形の貫通穴であるがこれに限られず、粘弾性体の場合（図３（Ｂ））と同様に、切り欠きとしてもよい。介挿部材７０の中心部分は周縁側の部分よりも薄肉とされており、凹部４１へ固定部材５０を取り付けた際に、固定部材５０の頭部５１の一部が埋没するような外観となるようにされている。
【００１８】
係る構成からなるゴルフクラブヘッドＡでは固定部材５０の軸体５２を介挿部材７０、粘弾性体６０ａ、６０ｂの各開口部７０ｂ、６０ａ’、６０ｂ’に挿入し、軸体５２の先端のネジをネジ穴４１ｂに螺合する。これにより、頭部５１と底面４１ａとの間に粘弾性体６０ａ、６０ｂが挟持されて固定される。粘弾性体６０ａ、６０ｂを固定部材５０の軸体５２が通過する構造とすることで、前記凹部の深さをより浅くでき、粘弾性体６０ａ、６０ｂを周壁（ソール部４０）に、より近い位置にて固定することができる。
【００１９】
従って、粘弾性体６０ａ、６０ｂによる制振効果を向上することができる。また、本実施形態では粘弾性体６０ａ、６０ｂがソール部４０に近くなるので低重心化も図ることができる。また、本実施形態では介挿部材７０を頭部５１と粘弾性体６０ａ、６０ｂとの間に介挿したことで、頭部５１の大きさによらず、粘弾性体６０ａ、６０ｂを略均一に底面４１ａに押圧することができ、粘弾性体６０ｂと底面４１ａとの密着性が確保できる。これは制振効果を更に向上させる。また、介挿部材７０を設けたことで粘弾性体６０ａ、６０ｂが外部へ露出せず、保護されるため、粘弾性体６０ａ、６０ｂが損傷することを防止することができる。
【００２０】
なお、固定部材５０、介挿部材７０はゴルフクラブヘッドＡの重心位置を調整するための部材としても活用できる。例えば、固定部材５０、介挿部材７０をゴルフクラブヘッドＡの周壁とは比重の異なる材料から構成することができる。例えば、ゴルフクラブヘッドＡの周壁をチタン合金（比重：約４．５）とした場合、固定部材５０、介挿部材７０をステンレス（比重：約７．８）やタングステン合金（比重：約１３．０）とした場合、これらは錘としても機能し、ゴルフクラブヘッドＡの重心位置が固定部材５０、介挿部材７０の部位に近づくことになる。逆に、固定部材５０、介挿部材７０をアルミ合金（比重：約２．７）とすれば、ゴルフクラブヘッドＡの重心位置が固定部材５０、介挿部材７０の部位から遠ざかることになる。
【００２１】
上記実施形態では、粘弾性体６０ａ、６０ｂをソール部４０に固定する構成としたが、粘弾性体はゴルフクラブヘッドＡの他の部位、例えば、サイド部３０、クラウン部２０に固定する構成も採用できる。また、粘弾性体は１箇所ではなく、複数の粘弾性体を複数箇所に固定する構成とすることもできる。
【００２２】
図３（Ａ）は複数の粘弾性体を複数箇所に固定したゴルフクラブヘッドＢの構造を示す断面図である。同図においてゴルフクラブヘッドＡと同じ構成については同じ符号を付し、説明を割愛する。ゴルフクラブヘッドＢではソール部４０に粘弾性体６１ａが、バック側のサイド部３０に粘弾性体６１ｂがそれぞれ固定されている。粘弾性体６１ａの固定構造は上述したゴルフクラブヘッドＡの場合と同様である。
【００２３】
粘弾性体６１ｂの固定構造も同様である。以下、簡単に説明する。バック側のサイド部３０にはゴルフクラブヘッドＢの内部に突出した凹部３１が一体的に形成されており、凹部３１内に粘弾性体６１ｂが配設されている。凹部３１の底面３１ａにはネジ穴３１ｂが形成されている。ネジ穴３１ｂには固定部材５０と同様の固定部材５０’が螺合しており、固定部材５０’と介挿部材７０と同様の介挿部材７０’とにより粘弾性体６１ｂが固定されている。固定部材５０’は、一端にネジ穴３１ｂと螺合するネジが形成された軸体５２’と、軸体５２’の他端に一体に接続された頭部５１’と、を有する。
【００２４】
しかして、固定部材５０’の軸体５２’を介挿部材７０’、粘弾性体６１ｂの各開口部７０ｂ’、６１ｂ’に挿入し、軸体５２’の先端のネジをネジ穴３１ｂに螺合する。これにより、頭部５１’と底面３１ａとの間に粘弾性体６１ｂが挟持されて固定される。
【００２５】
２つの粘弾性体６１ａ、６１ｂは制振性能が異なる粘弾性体とすることが望ましい。この構成によれば、ソール部４０、サイド部３０にそれぞれ生じる振動に対して個別の制振効果を高めることができる。
【００２６】
また、ゴルフクラブヘッドＢでは、バック側のサイド部３０に粘弾性体６１ｂ並びにその固定構造を配したことでゴルフクラブヘッドＢのバック側が重くなり深重心化が図れる。また、ソール部４０に粘弾性体６１ａ及びその固定構造を配したことでゴルフクラブヘッドＢのソール部４０側が重くなり低重心化が図れる。従って、ゴルフクラブヘッドＢによれば制振効果に加えて、低重心化、深重心化を図ることができる。２組の固定構造の各固定部材５０、５０’、介挿部材７０、７０’の材料は同じものとしても、異なるものとしてもよい。異なるものとすることで、上述した重心位置の調整を図ることもできる。
【図面の簡単な説明】
【００２７】
【図１】本発明の一実施形態に係るゴルフクラブヘッドＡの構造を示す断面図及び要部拡大図である。
【図２】粘弾性体の固定構造の分解斜視図である。
【図３】（Ａ）は本発明の他の実施形態に係るゴルフクラブヘッドＢの構造を示す断面図、（Ｂ）は粘弾性体の形態例を示す図である。
【符号の説明】
【００２８】
Ａ、Ｂ  ゴルフクラブヘッド
３１、４１  凹部
３１ｂ、４１ｂ  ネジ穴
５０、５０’  固定部材
６０ａ、６０ｂ、６０ｃ、６１ａ、６１ｂ  粘弾性体
７０、７０’  介挿部材
【図１】
0004745807.tif 000002
【図２】
0004745807.tif 000003
【図３】
0004745807.tif 000004